(57)【要約】【課題】トリガーレバーの回動操作ロック用のストッパーが、ロックモード位置およびロック解除モード位置から不用意に移動するのを防止する。【解決手段】トリガーレバー２に、ストッパー取付部２ａ，ストッパー１の上下動を円滑に案内するとともに当該ストッパーの脱落防止のためのレール状突部２ｂ，ストッパー１をロックモード位置に保持する上側凹部２ｅ，ロック解除モード位置に保持する下側凹部２ｆを形成した。ストッパー１には、取付部２ａと係合する縦長凸状部１ｂ，上側凹部２ｅおよび下側凹部２ｆに係止する凸部１ｃが形成されている。ストッパー１は、その縦長凸状部１ｂがレール状突部２ｂを乗り超えて取付部２ａに入り込みトリガーレバー２に取り付けられる。ロックモードおよびロック解除モードでは、凸部１ｃがそれぞれ上側凹部２ｅおよび下側凹部２ｆに係止されるので、各モード位置からのストッパー１の不用意な移動は防止される。【選択図】    図１
2005000735.tif 000002
【特許請求の範囲】
【請求項１】
内容物放出操作用のトリガレバーと、当該トリガレバーの回動操作ロック用のストッパーとからなるトリガレバーロック機構において、
前記トリガレバーは、
前記ストッパーをそのロックモード位置と所定のロック解除モード位置との間でスライド動作させるための案内保持部と、
前記ストッパーを前記ロックモード位置に保持して、当該ストッパーがそこから前記ロック解除モード位置の方へ不用意に移動することを抑止するための第１の係止部と、
前記ストッパーを前記ロック解除モード位置に保持して、当該ストッパーがそこから前記ロックモード位置の方へ不用意に移動することを抑止するための第２の係止部とを備え、
前記ストッパーは、
前記案内保持部に設けられて前記スライド動作を行うための被案内部と、
前記ロックモード位置まで移動したときに前記第１の係止部に保持され、かつ、前記ロック解除モード位置まで移動したときに前記第２の係止部に保持される被係止部とを備えた、
ことを特徴とする内容物放出操作用のトリガレバーロック機構。
【請求項２】
前記案内保持部として、前記トリガレバーの側面に、前記スライド動作の方向に延びるレール状部、およびこれに続く当該方向の凹状部を形成し、
前記被案内部として、前記ストッパーの開口部分の対向内周面に、前記レール状部を跨ぐ形で前記凹状部に対応する凸状部を形成した、
ことを特徴とする請求項１記載のトリガレバーロック機構。
【請求項３】
内容物放出操作用のトリガレバーをその回動操作ができないロック状態に設定する機能を持つトリガレバー用のストッパーにおいて、
前記トリガレバーの案内保持部に設けられて、ロックモード位置と所定のロック解除モード位置との間で自らのスライド動作を行うための被案内部と、
前記ロックモード位置まで移動したとき、前記トリガレバーの第１の係止部に保持されて、そこから前記ロック解除モード位置の方への不用意な移動を抑止し、かつ、前記ロック解除モード位置まで移動したとき、前記トリガレバーの第２の係止部に保持されて、そこから前記ロックモード位置の方への不用意な移動を抑止するための被係止部とを備えた、
ことを特徴とするトリガレバー用のストッパー。
【請求項４】
前記案内保持部が、前記トリガレバーの側面に形成された、前記スライド動作の方向に延びるレール状部、およびこれに続く当該方向の凹状部であり、
前記被案内部として、前記ストッパーの開口部分の対向内周面に、前記レール状部を跨ぐ形で前記凹状部に対応する凸状部を形成した、
ことを特徴とする請求項３記載のトリガレバー用のストッパー。
【請求項５】
回動操作ができないロック状態に設定するためのストッパーをスライド動作させる機能を持つ内容物放出操作用のトリガレバーにおいて、
前記ストッパーをそのロックモード位置と所定のロック解除モード位置との間でスライド動作させるための案内保持部と、
前記ストッパーを前記ロックモード位置に保持して、当該ストッパーがそこから前記ロック解除モード位置の方に不用意に移動することを抑止するための第１の係止部と、
前記ストッパーを前記ロック解除モード位置に保持して、当該ストッパーがそこから前記ロックモード位置の方に不用意に移動することを抑止するための第２の係止部とを備えた、
ことを特徴とする内容物放出操作用のトリガレバー。
【発明の詳細な説明】
【０００１】
【発明の属する技術分野】
本発明は、内容物放出操作用のトリガーレバーロック機構，そのためのトリガーレバーおよびストッパーに関し、特にストッパーがそのロックモード位置および所定のロック解除モード位置で確実に係止するようにして各モード位置からの不用意な移動を抑止した、トリガーレバーロック機構，そのためのトリガーレバーおよびストッパーに関する。
【０００２】
本発明のトリガーレバーロック機構，トリガーレバーおよびストッパーは、
・包装容器内部に内容物とともに充填してある圧縮ガスなどの圧縮媒体の作用により、当該内容物を外部空間に放出するエアゾール方式、
・貯留用空間部の入り口側の流入弁および出口側の吐出し弁の作用により、包装容器内部の内容物をいったん当該貯留用空間部に取り込んだ上でそれを外部空間に放出する蓄圧方式、
の各製品に用いることができる。
【０００３】
【従来の技術】
トリガーレバーに取り付けられた回動操作ロック用のストッパーをロック解除モード位置から上方向にスライドさせることによりロックモード位置に設定するトリガーレバーロック機構が開示されている。
【０００４】
上記トリガーレバーロック機構のトリガーレバーおよびストッパーには、
・ストッパーがトリガーレバーから外れないようにする脱落防止手段、
・ストッパーの、ロックモードからロック解除モードへの不用意な移行防止を図ったロックモード保持手段、
を備えている。
【０００５】
しかしながら、ロック解除モードからロックモードへの移行が不用意に行われるのを防止したり、当該移行の開始を利用者が体感できるような手段は設けられていない（例えば特許文献１参照。）。
【０００６】
【特許文献１】
特開２０００−１５１５０号公報
【０００７】
【発明が解決しようとする課題】
このように、従来の誤動作防止機構には、ストッパーのロック解除モードからロックモードへの不用意な移行を防止する手段が設けられていないため、例えばロック解除モード（トリガーレバーの放出操作が可能な状態）でトリガーレバーの操作開始時などに何らかの上方向の力がストッパーに加わった場合、利用者の意思に反してストッパーが上動してロックモード（トリガーレバーの放出操作ができない状態）に設定されてしまい内容物が放出されなくなるといった問題点があった。
【０００８】
また、ストッパーのロック解除モードからロックモードへの移行開始を利用者が体感できるようにはなっていないため、利用者はこのモード切換えを確実に認識することができない、といった問題点があった。
【０００９】
そこで、本発明では、ストッパーがロックモード位置およびロック解除モード位置でトリガーレバーに確実に係止されるようにして、ストッパーの不用意な移動の防止を図ることを目的とする。
【００１０】
また、各モードからの移行開始を利用者が認識できるようにして、使い勝手のよいトリガーレバーロック機構にすることを目的とする。
【００１１】
【課題を解決するための手段】
本発明はこの課題を次のようにして解決する。
（１）内容物放出操作用のトリガレバー（例えば後述のトリガーレバー２）と、当該トリガレバーの回動操作ロック用のストッパー（例えば後述のストッパー１）とからなるトリガレバーロック機構において、前記トリガレバーに、前記ストッパーをそのロックモード位置と所定のロック解除モード位置との間でスライド動作させるための案内保持部（例えば後述のストッパー取付部２ａ，レール状突部２ｂ，段部２ｄ）と、前記ストッパーを前記ロックモード位置に保持して、当該ストッパーがそこから前記ロック解除モード位置の方へ不用意に移動することを抑止するための第１の係止部（例えば後述の上側凹部２ｅ）と、前記ストッパーを前記ロック解除モード位置に保持して、当該ストッパーがそこから前記ロックモード位置の方へ不用意に移動することを抑止するための第２の係止部（例えば後述の下側凹部２ｆ）とを備え、前記ストッパーに、前記案内保持部に設けられて前記スライド動作を行うための被案内部（例えば後述の縦長凸状部１ｂ，係止用凸部１ｃ）と、前記ロックモード位置まで移動したときに前記第１の係止部に保持され、かつ、前記ロック解除モード位置まで移動したときに前記第２の係止部に保持される被係止部（例えば後述の係止用凸部１ｃ）とを備える。
（２）上記（１）において、前記案内保持部として、前記トリガレバーの側面に、前記スライド動作の方向に延びるレール状部（例えば後述のレール状突部２ｂ）、およびこれに続く当該方向の凹状部（例えば後述のストッパー取付部２ａ）を形成し、前記被案内部として、前記ストッパーの開口部分の対向内周面に、前記レール状部を跨ぐ形で前記凹状部に対応する凸状部（例えば後述の縦長凸状部１ｂ，係止用凸部１ｃ）を形成する。
（３）内容物放出操作用のトリガレバー（例えば後述のトリガーレバー２）をその回動操作ができないロック状態に設定する機能を持つトリガレバー用のストッパー（例えば後述のストッパー１）に、前記トリガレバーの案内保持部（例えば後述のストッパー取付部２ａ，レール状突部２ｂ，段部２ｄ）に設けられて、ロックモード位置と所定のロック解除モード位置との間で自らのスライド動作を行うための被案内部（例えば後述の縦長凸状部１ｂ，係止用凸部１ｃ）と、前記ロックモード位置まで移動したとき、前記トリガレバーの第１の係止部（例えば後述の上側凹部２ｅ）に保持されて、そこから前記ロック解除モード位置の方への不用意な移動を抑止し、かつ、前記ロック解除モード位置まで移動したとき、前記トリガレバーの第２の係止部（例えば後述の下側凹部２ｆ）に保持されて、そこから前記ロックモード位置の方への不用意な移動を抑止するための被係止部（例えば後述の係止用凸部１ｃ）とを備える。
（４）上記（３）において、前記案内保持部が、前記トリガレバーの側面に形成された、前記スライド動作の方向に延びるレール状部（例えば後述のレール状突部２ｂ）、およびこれに続く当該方向の凹状部（例えば後述のストッパー取付部２ａ）であり、前記被案内部として、前記ストッパーの開口部分の対向内周面に、前記レール状部を跨ぐ形で前記凹状部に対応する凸状部（例えば後述の縦長凸状部１ｂ，係止用凸部１ｃ）を形成する。
（５）回動操作ができないロック状態に設定するためのストッパー（例えば後述のストッパー１）をスライド動作させる機能を持つ内容物放出操作用のトリガレバー（例えば後述のトリガーレバー２）に、前記ストッパーをそのロックモード位置と所定のロック解除モード位置との間でスライド動作させるための案内保持部（例えば後述のストッパー取付部２ａ，レール状突部２ｂ，段部２ｃ）と、前記ストッパーを前記ロックモード位置に保持して、当該ストッパーがそこから前記ロック解除モード位置の方に不用意に移動することを抑止するための第１の係止部（例えば後述の上側凹部２ｅ）と、前記ストッパーを前記ロック解除モード位置に保持して、当該ストッパーがそこから前記ロックモード位置の方に不用意に移動することを抑止するための第２の係止部（例えば後述の下側凹部２ｆ）とを備える。
【００１２】
本発明では、上記（１），（３），（５）のように、ストッパーの被係止部が、ロックモード位置およびロック解除モード位置で、それぞれトリガーレバーの第１の係止部および第２の係止部に係止して、各モード位置からのストッパーの不用意な移動防止を図っている。
【００１３】
また、ストッパーの被係止部とトリガーレバーの第１の係止部との保持状態が解除される感覚の変化、およびストッパーの被係止部とトリガーレバーの第２の係止部との保持状態が解除される感覚の変化によって、利用者にそれぞれロックモードからロック解除モードへの移行の開始およびロック解除モードからロックモードへの移行の開始を通知している。
【００１４】
さらに、ストッパーの被案内部はトリガーレバーの案内保持部に設けられ、ストッパーはロックモード位置とロック解除モード位置の間を円滑にスライドする。
【００１５】
上記（２）および（４）のように、ストッパーの凸状部をトリガーレバーの凹状部に例えば係合させることにより、ストッパーのトリガーレバーからの脱落防止の確実化を図っている。
【００１６】
【発明の実施の形態】
図１乃至図３を用いて、本発明の実施の形態を説明する。なお、説明の便宜上、蓄圧方式の製品について説明する。
【００１７】
図１はトリガーレバーおよび当該トリガーレバーに対するロックモード設定用ストッパーの説明図、図２はストッパーロック解除モード（操作可能モード）、図３はストッパーのロックモード（操作不可モード）をそれぞれ示している。
【００１８】
これらの図において、図示縦方向のトリガーレバーの放出口側を「上」，それとは反対側を「下」，図示横方向のトリガーレバーの放出口側を「前」，  それとは反対側を「後」という。
【００１９】
図１乃至図３において、
１は後述のトリガーレバー２をロックモードに設定するストッパー，１ａは前面，上面および下面が開口したコの字状の把持部，１ｂは当該把持部の対向内周面それぞれの前方端部に形成されて後述のストッパー取付部２ａと係合する縦長凸状部，１ｃは当該縦長凸状部の上端側に形成された一対の係止用凸部，１ｄはロック作用部，１ｅはロックモードで後述の固定シリンダ５の円弧状段部５ａに当接する背面部，１ｆはロックモードで後述の可動シリンダ４の外周面４ａに当接する曲面部，
２はトリガーレバー，２ａは当該トリガーレバーの各側面の外周面側に設けられた縦長凹状の（上側天井面および下側底面を持つ）ストッパー取付部，２ｂは当該トリガーレバーに対するストッパー１の上下動をスムーズに行うとともに当該ストッパーの後方への脱落を防止するためのレール状突部，２ｃは当該レール状突部の後側部分に形成されたテーパ面，２ｄは当該レール状突部の前側部分に形成された段部，２ｅはストッパー１の凸部１ｃと係合してロックモードを安定的に保持するための上側凹部，２ｆは当該凸部１ｃと係合して当該ストッパーのロック解除モードを安定的に保持するための下側凹部，２ｇは上側凹部２ｅと下側凹部２ｆとの間の平坦面，２ｈは当該トリガーレバーの回動軸，２ｉは後述の可動シリンダ４を押圧するための耳部，
３は後述の可動シリンダ４や固定シリンダ５を収容するとともにトリガーレバー２を回動可能に取り付けるカバー体，
４は可動シリンダ，４ａは当該可動シリンダの外周面，４ｂはトリガーレバー２の耳部２ｉの内面と係合する突状部，４ｃは放出口，
５は可動シリンダ４を案内する固定シリンダ，５ａは当該固定シリンダの円弧状段部，
６は後述の容器本体７に取り付けられる蓋部，
７は容器本体，
をそれぞれ示している。
【００２０】
本発明の主な特徴は、ストッパー１に設けた凸部１ｃが、ロックモードおよびロック解除モードで、それぞれトリガーレバー２の上側凹部２ｅおよび下側凹部２ｆに係止して、各モード位置からのストッパー１の不用意な移動を防止したことである。
【００２１】
また、利用者は、ストッパー１を積極的に上下方向にスライドさせたときに当該ストッパーの凸部１ｃがトリガーレバー２の平坦面２ｇに乗り上げる感覚（の変化）によってロック解除モードからロックモードへの移行開始およびロックモードからロック解除モードへの移行開始を認識できる。
【００２２】
ここで、トリガーレバー２の、段部２ｄのストッパー取付部２ａに対する高さは０．４ｍｍ，上側凹部２ｅおよび下側凹部２ｆの深さはそれぞれ０．２ｍｍ，ストッパー１の、縦長凸状部１ｂの内周面に対する高さは０．３ｍｍ，凸部１ｃの縦長凸状部１ｂに対する高さは０．３ｍｍである。
【００２３】
図１に示すように、ストッパー１は、
・トリガーレバー２のストッパー取付部２ａのそれぞれに取り付けられるコの字状の把持部１ａ、
・固定シリンダ５に当接して、可動シリンダ４の動きをロックするためのロック作用部１ｄ、
などから構成されている。
【００２４】
把持部１ａの内側縁部分には、トリガーレバー２のレール状突部２ｂを跨ぐ形でストッパー取付部２ａと係合する一対の縦長凸状部１ｂが互いに対向する態様で形成され、当該縦長凸状部の上端部には、トリガーレバー２の上側凹部２ｅまたは下側凹部２ｆと係合する凸部１ｃが形成されている。
【００２５】
ロック作用部１ｄの上面は、可動シリンダ４の外周面の曲面形状に対応したかたちの曲面部１ｆであり、図３のロックモード（すなわち凸部１ｃがトリガーレバー２の上側凹部２ｅに係合した状態）では背面部１ｅが固定シリンダ５の円弧状段部５ａの面部分に当接する。もっともロックモードにおける背面部１ｅが円弧状段部５ａから少し離間する形でもよい。
【００２６】
トリガーレバー２のストッパー取付部２ａには、
・ストッパー１の凸部１ｃと係合してそれぞれロックモードおよびロック解除モードを維持する上側凹部２ｅおよび下側凹部２ｆ、
・ストッパー１の縦長凸状部１ｂと係合して当該ストッパーの脱落を防止するとともにその上下動をガイドする一対のレール状突部２ｂ、
などが形成されている。
【００２７】
ストッパー１をトリガーレバー２に取り付けるには、
・ストッパー１を、トリガーレバー２の後側から把持部１ａがストッパーの外周面双方を挟み込むように前進させ、
・凸部１ｃおよび縦長凸状部１ｂが、レール状突部２ｂのテーパ面２ｃを乗り越えてストッパー取付部２ａに入り込むまで押し込む。
【００２８】
この乗り越えに際して、例えば合成樹脂製のストッパーの把持部１ａは自らの弾性に抗する形で外方に広がろうとする。
【００２９】
トリガーレバー２のレール状突部２ｂの後側はテーパ面２ｃとなっているので、ストッパー１の凸部１ｃおよび縦長凸状部１ｂはこれを乗り上げやすい。また、いったんストッパー取付部２ａに入り込んだストッパー１は段部２ｄに係止されるので、当該段部を乗り越えてトリガーレバー２から外れることはない。
【００３０】
そして、ストッパー１の凸部１ｃおよび縦長凸状部１ｂは、トリガーレバー２のストッパー取付部２ａやレール状突部２ｂの段部２ｄなどに案内されて、当該ストッパーはスムーズに上下動する。
【００３１】
図２に示すようにロック解除モードでは、ストッパー１の凸部１ｃはトリガーレバー２の下側凹部２ｆに入り込んで係合しているので、例えば利用者がトリガーレバー２の操作中にロック作用部１ｄをうっかり上方向に押してしまってもこの程度の力ではストッパー１は上動することなく、ロック解除モードが確実に維持される。ここで、ストッパー１の把持部１ａの下端面はストッパー取付部２ａの下側底面に当接している。
【００３２】
このとき、ロック作用部１ｄは固定シリンダ５から離れているので、矢印で示すようにトリガーレバー２を引くと、当該トリガーレバーは回動軸２ｈを中心に半時計方向に回動でき、その耳部２ｉが可動シリンダ４の突状部４ｂを押圧し、内容物は内容物放出機構（図示省略）により放出口４ｃから外部空間に放出される。
【００３３】
図３のロックモードに設定するには、例えばストッパー１のロック作用部１ｄの下面に親指を掛けて上動させる。
【００３４】
このとき、ストッパー１の把持部１ａが自らの弾性に抗する形で外方に少し開いて、その凸部１ｃはトリガーレバー２の下側凹部２ｆから平坦面２ｇに乗り上げるので、利用者はこの乗り上げにともなう感覚（の変化）でロック解除モードからロックモードへの移行開始を認識することができる。
【００３５】
そして、前述のようにストッパー１の縦長凸状部１ｂおよび凸部１ｃと、トリガーレバー２の段部２ｄとの係合作用により、ストッパー１はトリガーレバー２から外れることはなく、またスムーズに上動する。
【００３６】
図３に示すように、（ストッパー１を上動させて）その凸部１ｃがトリガーレバー２の上側凹部２ｅに入り込むと、ロック作用部１ｄの背面部１ｅは固定シリンダ５の円弧状段部５ａに当接（または少し離れて対向）してロックモードとなる。
【００３７】
このとき、ストッパー１の凸部１ｃがトリガーレバー２の上側凹部２ｅに入り込む感覚で利用者はロックモードに設定されたことを認識することができる。
【００３８】
凸部１ｃと上側凹部２ｅとの係合により、ストッパー１は不用意な力程度では下動することなく、ロックモードが確実に維持される。ここで、ストッパー１の把持部１ａの上端面はストッパー取付部２ａの上側天井面に当接している。
【００３９】
ロックモードでは、前述のように、ロック作用部１ｄの曲面部１ｆは可動シリンダ４の外周面４ａに対応し、背面部１ｅ全体が固定シリンダ５の円弧状段部５ａに係止されるので、トリガーレバーは確実にロックされる。
【００４０】
ロックモードからロック解除モードに移行させるには、例えばストッパー１の把持部１ａの外周面を摘んで凸部１ｃがトリガーレバー２の下側凹部２ｆに入り込むまでストッパー１を下動させればよい。
【００４１】
ロック解除モードからロックモードへ移行するときと同様に、ストッパー１の縦長凸状部１ｂおよびストッパー１の凸部１ｃと、トリガーレバー２の段部２ｄとの係合作用により、ストッパー１はトリガーレバー２から外れることはなく、またスムーズに下動する。
【００４２】
そして、利用者は、
・ストッパー１の凸部１ｃが平坦面２ｇに乗り上げた感覚（の変化）、
・ストッパー１の凸部１ｃが下側凹部２ｆに入り込んだ感覚（の変化）によって、
それぞれ、ロックモードからロック解除モードへの移行開始およびロック解除モードに設定されたことを認識することができる。
【００４３】
なお、ストッパー１の係止用凸部１ｃを凹部とし、当該凹部に対応する凸部をトリガーレバー２の上側凹部２ｅおよび下側凹部２ｆに代えて形成してもよい。また、レール状突部２ｂを省略して、単に平坦面２ｇ，上側凹部２ｅ，下側凹部２ｆなどからなるストッパー取付部をトリガーレバー２の側面に形成するようにしてもよい。
【００４４】
本発明が適用される製品としては、調味料などの食品，染毛剤，育毛剤，脱色剤，化粧品，シェービングフォーム，ヘアスタイリングフォーム，医薬品，外用薬，医薬部外品，コンタクトレンズ用品，歯磨き粉，液滴状のもの（ビタミンなど），塗料，園芸用剤，殺虫剤，クリーナー，消臭剤，潤滑剤，洗浄剤，清掃剤，制汗剤，忌避剤（殺虫剤），洗濯のりなどの各種用途のものがある。
【００４５】
また、本発明の容器本体の内容物には、液状，ペースト状，ジェル状，泡状，粉状などの各種性状のものがあり、染料，脱色剤，アルカリ剤，金属塩類粉末，無機物粉末や樹脂粉末などを用いる。例えばパラフェニレンジアミン，アンモニア，過酸化水素，タルク，カオリン，アルミニウムヒドロキシクロライド（アルミ塩），硫酸バリウム，セルロース，これらの混合物などである。また、安定剤，ＰＨ調整剤，紫外線吸収剤，油性原料，界面活性剤，保湿剤，高分子化合物，酸化防止剤，金属イオン封鎖剤なども用いる。
【００４６】
【発明の効果】
本発明では、このように、ストッパーの被係止部が、ロックモード位置およびロック解除モード位置で、それぞれトリガーレバーの第１の係止部および第２の係止部に係止するので、各モード位置からのストッパーの不用意な移動防止を図ることができる。
【００４７】
また、ストッパーの被係止部とトリガーレバーの第１の係止部との保持状態が解除される感覚の変化、およびストッパーの被係止部とトリガーレバーの第２の係止部との保持状態が解除される感覚の変化によって、利用者はそれぞれロックモードからロック解除モードへの移行の開始およびロック解除モードからロックモードへの移行の開始を認識することができる。
【００４８】
さらに、ストッパーの被案内部をトリガーレバーの案内保持部に設けているので、ストッパーを円滑にスライドさせることができる。
【００４９】
また、ストッパーの凸状部をトリガーレバーの凹状部に例えば係合させているので、ストッパーのトリガーレバーからの脱落防止を図ることができる。
【図面の簡単な説明】
【図１】本発明の、トリガーレバーおよびトリガーレバーに対するロックモード設定用のストッパーを示す説明図である。
【図２】本発明の、ストッパーのロック解除モード（操作可能モード）を示す説明図である。
【図３】本発明の、ストッパーのロックモード（操作不可モード）を示す説明図である。
【符号の説明】
１：ストッパー
１ａ：コの字状の把持部
１ｂ：縦長凸状部
１ｃ：係止用凸部
１ｄ：ロック作用部
１ｅ：背面部
１ｆ：曲面部
２：トリガーレバー
２ａ：ストッパー取付部
２ｂ：レール状突部
２ｃ：テーパ面
２ｄ：段部
２ｅ：上側凹部
２ｆ：下側凹部
２ｇ：平坦面
２ｈ：回動軸
２ｉ：耳部
３：カバー体
４：可動シリンダ
４ａ：外周面
４ｂ：突状部
４ｃ：放出口
５：固定シリンダ
５ａ：円弧状段部
６：蓋部
７：容器本体
【図１】
2005000735.tif 000003
【図２】
2005000735.tif 000004
【図３】
2005000735.tif 000005